(57)【要約】幾つかの実施例においては、方法はネットワーク・ノードをロング・ターム・エボルーション（ＬＴＥ）システムにおけるモバイル管理体（ＭＭＥ）へのユーザー機器（ＵＥ）のためのビジテッド・ロケーション・リソース（ＶＬＲ）として表現することを含む。ネットワーク・ノードは、ＬＴＥシステムにおけるＭＭＥへのＳＧｓインターフェースとセルラー・システム（ＣＳ）におけるモバイル切り換えセンタ（ＭＳＣ）へのＭＡＰインターフェースとを含む。ＬＴＥシステムを登録しているＵＥ通知は、ＭＭＥから受信される。ネットワーク・ノードは、ＭＡＰインターフェースを通じて、ＣＳにおけるホーム・ロケーション・リソース（ＨＬＲ）にＵＥについてのＶＬＲとして登録する。【選択図】図１
2014519747.tif 000002
【特許請求の範囲】
【請求項１】
方法であって、
ネットワーク・ノードをロング・ターム・エボルーション（ＬＴＥ）システムにおけるモバイル管理体（ＭＭＥ）へのユーザー機器（ＵＥ）のためのビジテッド・ロケーション・リソース（ＶＬＲ）として表現し、そのネットワーク・ノードは、前記ＬＴＥシステムにおける前記ＭＭＥへのＳＧｓインターフェース及びセルラー・システム（ＣＳ）におけるモバイル切り換えセンター（ＭＳＣ）へのＭＡＰインターフェースとを含み、
前記ＭＭＥにおいて、前記ＬＴＥシステムを登録する前記ＵＥの通知を受信し、及び、
前記ＭＡＰインターフェースを通じて、前記ＣＳにおけるホーム・ロケーション・リソース（ＨＬＲ）に前記ＵＥについての前記ＶＬＲとして登録することを含む方法。
【請求項２】
請求項１の方法において、ＭＡＰとＳＧｓとの間のインターネットワーキングを更に含む方法。
【請求項３】
請求項１の方法において、前記ネットワーク・ノードはＣＳシステムにおけるショート・メッセージ・サービス・センター（ＳＭＳＣ）へのＭＡＰインターフェースを含む方法。
【請求項４】
請求項１の方法において、
モバイル着信呼び出しに関連して前記ＣＳから前記ＵＥについてのルーティング番号のための要請を受信し、
前記ＬＴＥシステムを通じて、前記ＣＳへフォールバックするための前記ＵＥについての要請を送信し、
前記ＨＬＲから前記ＵＥが前記ＣＳにおけるＭＳＣ／ＶＬＲによって供給されているという指標を受信し、
前記ＵＥについてのルーティング番号のための要請を前記ＭＳＣ／ＶＬＲへ送信し、及び、
前記ＭＳＣ／ＶＬＲからのルーティング番号の受信に応じて、前記受信されたルーティング番号を含むルーティング番号要請に対する応答を送信することを更に含む方法。
【請求項５】
請求項４の方法において、前記ルーティング番号はモバイル・ステーション・ローミング番号（ＭＳＲＮ）からなる方法。
【請求項６】
請求項４の方法において、ルーティング番号のための要請を受信することは、前記ＨＬＲからモバイル加入者集積サービス・デジタル・ネットワーク番号（ＭＳＩＳＤＮ）を特定する供給ローミング番号（ＰＲＮ）を受信することからなる方法。
【請求項７】
請求項４の方法において、前記ＣＳへフォールバックする前記ＵＥのための前記要請が、少なくとも前記ＭＳＣ／ＶＬＲが前記ＵＥを供給しているという指標に応じて、前記ＬＴＥシステムにおける前記ＭＭＥを通じて前記ＵＥをページングすることからなる方法。
【請求項８】
請求項１の方法において、ＭＳＣ／ＶＬＲへのＭＳＲＮのための前記要請が、ＨＬＲへの送信ルーティング情報（ＳＲＩ）要請からなる方法。
【請求項９】
請求項１の方法において、前記ルーティング番号ための要請に対する応答を送信することが、前記ルーティング番号を特定するＰＲＮ確認応答（Ａｃｋ）を送信することからなる方法。
【請求項１０】
ネットワーク・ノードであって、
ＬＴＥシステムにおけるＭＭＥへのＳＧｓインターフェースと、
ＣＳにおけるＭＳＣへのＭＡＰインターフェースと、
一つ以上のプロセッサとを備え、そのプロセッサは、
ネットワーク・ノードを前記ＬＴＥシステムにおけるＭＭＥへのＵＥにつてのＶＬＲとして表現し、
前記ＭＭＥから前記ＬＴＥシステムを登録する前記ＵＥの通知を受信し、及び、
前記ＭＡＰインターフェースを通じて、前記ＣＳにおけるＨＬＲに、前記ＵＥのためのサービスを提供しているＶＬＲとして登録するように作動可能であるネットワーク・ノード。
【請求項１１】
請求項１０のネットワーク・ノードにおいて、前記プロセッサは更にＭＡＰとＳＧｓとの間のインターネットワークへ作動可能であるネットワーク・ノード。
【請求項１２】
請求項１０のネットワーク・ノードにおいて、前記ネットワーク・ノードは前記ＣＳシステムにおけるＳＭＳＣへのＭＡＰインターフェースを含むネットワーク・ノード。
【請求項１３】
請求項１０のネットワーク・ノードにおいて、前記プロセッサは更に、
モバイル着信呼び出しに関連して前記ＣＳから前記ＵＥについてのルーティング番号の要請を受信し、
前記ＬＴＥシステムを通じて、ＣＳへフォールバックする前記ＵＥのための要請を送信し、
前記ＨＬＲから、前記ＵＥが前記ＣＳにおけるＭＳＣ／ＶＬＲによって供給されているという指標を受信し、
前記ＭＳＣ／ＶＬＲから前記ＵＥについてのルーティング番号をのための要請を送信し、及び、
前記ＭＳＣ／ＶＬＲからの前記ルーティング番号の受信に応じて、前記受信されたルーティング番号を含むルーティング番号要請に対する応答を送信するように作動可能であるネットワーク・ノード。
【請求項１４】
請求項１３のネットワーク・ノードにおいて、前記ルーティング番号はＭＳＲＮからなるネットワーク・ノード。
【請求項１５】
請求項１３のネットワーク・ノードにおいて、前記プロセッサがルーティング番号のための要請を受信するように作動可能なことは、前記プロセッサが前記ＨＬＲからＭＳＩＳＤＮを特定するＰＲＮを受信するように作動可能なことからなるネットワーク・ノード。
【請求項１６】
請求項１３のネットワーク・ノードにおいて、前記ＵＥが前記ＣＳへフォールバックするための要請を送信するように作動可能なプロセッサは、少なくとも、前記ＭＳＣ／ＶＬＲが前記ＵＥを供給しているという指標に応じて、前記ＬＴＥシステムにおける前記ＭＭＥを通じて前記ＵＥをページングするように作動可能である前記プロセッサからなるネットワーク・ノード。
【請求項１７】
請求項１３のネットワーク・ノードにおいて、ＭＳＣ／ＶＬＲへのＭＳＲＮのための前記要請は、前記ＨＬＲへのＳＲＩ要請からなるネットワーク・ノード。
【請求項１８】
請求項１３のネットワーク・ノードにおいて、前記プロセッサが前記ルーティング番号のための要請に対する応答を送信することは、前記プロセッサが前記ルーティング番号を特定するＰＲＮ  Ａｃｋを送信するように作動可能であることからなるネットワーク・ノード。
【発明の詳細な説明】
【発明の詳細な説明】
【０００１】
優先権の主張
本願は、２０１１年５月２６日に出願された米国仮出願第６１／４９０，５４３号に対する米国特許法第１１９条（ｅ）の下の優先権を主張し、その全内容は参照によって本明細書に組み込まれている。
【技術分野】
【０００２】
本発明はネットワーク通信に関し、更に詳しくは、回路切り換えフォールバックのためのインターネットワーキングに関する。
背景
【０００３】
現在では、ロング・ターム・エボルーション（ＬＴＥ）システムは音声通話を支持しないので、回路切り換えフォールバック（ＣＳＦＢ）はこれらの呼び出しのために実行される。例えば、ネットワークはＬＴＥ無線上でモバイル・デバイスのページングを強化し、ＬＴＥ無線上に留まるモバイル・デバイスがＬＴＥシステム上で音声通話 ページング要請を受信したとき、モバイル・デバイスはＣＳ無線へフォールバックして音声通話を受信する。ＣＳＦＢに関連して、如何なる能動的データ・セッションも中止されるか、又は、２Ｇ／３Ｇ  ＰＳアクセスへ引き渡される。モバイル発信（Ｍｏｂｉｌｅ  Ｏｒｉｇｉｎａｔｉｎｇ：ＭＯ）呼については、ＬＴＥ無線上に留まるモバイルは、ＣＳ領域における音声通話を発信するために、それら自身におけるフォールバックを起動する。ＬＴＥ無線上に留まるモバイルは、フォールバックを伴うこと無くＳＭＳを送受信することができる。基本的な概念は音声通話のためにＵＥをＣＳ無線へフォールバックさせることを強いることであり、これはＶｏＬＴＥではない。ＣＳＦＢを実行するために、ＵＥがＥＰＣへ取り付けられたのがいつであるかをＭＳＣが知ることができるように、ＭＭＥとＭＳＣ／ＶＬＲとの間に新たなインターフェース（ＳＧｓ）が要求される。ＭＳＣ／ＶＬＲは基準としてＨＬＲに登録されるので、モバイル着信（Ｍｏｂｉｌｅ  Ｔｅｒｍｉｎａｔｉｎｇ：ＭＴ）音声通話及びＳＭＳがそこに送られる。これらの場合、ＭＯ／ＭＴ／ＳＭＳは、ＭＳＣを介してＬＴＥアクセス及びＥＰＣ上で搬送される。ＭＯ呼び出しについては、ＵＥは呼び出しを発信する前にＣＳ無線へフォールバックして、基幹ネットワーク変化が必要とされないようにする。ＭＴ呼び出しについては、この呼び出しは基準としてＭＳＣへ搬送されて、ＭＳＣは、ＭＭＥとＭＳＣとの間の新たなＳＧｓを介してＵＥをページングする。このＵＥはＣＳ無線へフォールバックして、位置更新（Ｌｏｃａｔｉｏｎ  Ｕｐｄａｔｅ）又はペ−ジング応答（Ｐａｇｅ  Ｒｅｓｐｏｎｓｅ）の何れかを発する。ＭＳＣは、呼び出しを完了する。ＵＥがＳＧｓページを発行したものとは異なるＭＳＣにフォールバックするならば、複雑な「ローミング再試行」処理が呼び出しを完了するために要求される。とは言うものの、この処理はＬＴＥ及びＣＳシステムの各々における既存のノードの新たなインターフェース及び修正を必要とする。新たなインターフェースに関しては、新たなＳＧｓインターフェースが、ＣＳ基幹ネットワークにおけるＭＳＣとＥＰＣにおけるＭＭＥとの間で必要とされる。ＳＧｓは、ＭＳＣに、ＥＰＣ取り付け、ＥＰＣ取り付けの間のＭＯ／ＭＴ  ＳＭＳを知ること、及び、ＭＳＣが音声通話のためにＥＰＣ及びＬＴＥアクセスＥＰＣ上で加入者を呼び出すことを可能にする。変更されたノードに関しては、ＭＳＣはＳＧｓインターフェース及び関連状態装置を必要とする。ＭＭＥは、ＳＧｓインテーフェースと関連状態装置の変更とを必要とし、ＩＳＲ（アイドル・モード信号伝達減少（Ｉｄｌｅ  ｍｏｄｅ  Ｓｉｇｎａｌｉｎｇ  Ｒｅｄｕｃｔｉｏｎ））が有効であるならば、ＳＧＮＳに対するＳ３インターフェースを必要とする。ＭＳＣ／ＨＬＲ／ＧＭＳＣが全てローミング��試行を支持するために変化を必要とし、これはＣＳＦＢによってより起こり得る。
概要
【０００４】
幾つかの実施例においては、方法はネットワーク・ノードをロング・ターム・エボルーション（ＬＴＥ）システムにおけるモバイル管理エンテイティ（Ｍｏｂｉｌｅ  Ｍａｎａｇｅｍｅｎｔ  Ｅｎｔｉｔｙ：ＭＭＥ）へのユーザー機器（Ｕｓｅｒ  Ｅｑｕｉｐｍｅｎｔ：ＵＥ））のための訪問位置資産（Ｖｉｓｉｔｅｄ  Ｌｏｃａｔｉｏｎ  Ｒｅｓｏｕｒｃｅ）（ＶＬＲ）として表現することを含む。ネットワーク・ノードは、ＬＴＥシステムにおけるＭＭＥに対するＳＧｓインターフェースとセルラー・システム（ＣＳ）におけるモバイル切り換えセンター（ＭＳＣ）に対するＭＡＰインターフェースとを含む。ＬＴＥシステムを登録するＵＥの通知はＭＭＥから受信される。ネットワーク・ノードは、ＭＡＰインターフェースを通じて、ＣＳにおけるホーム・ロケーション・リソース（ＨＬＲ）にＵＥのためのＶＬＲとして登録される。
【０００５】
本発明の一つ以上の実施形態の詳細は、添付図面と以下の説明に記載される。本発明の他の特徴、目的及び利点は、説明及び図面から、並びに特許請求の範囲から明らかである。
【図面の簡単な説明】
【０００６】
【図１】図１は回路切り換えフォールバックのための通信システムである。
【０００７】
【図２】図２Ａ―図２Ｉは回路切り換えフォールバックの間の信号発信を図解する通信システムである。
【０００８】
【図３】図３Ａ及び図３Ｂは回路切り換えフォールバックを図解する呼び出しフローである。
【０００９】
【図４】図４は回路切り換えフォールバックを実行する例示的方法を図解するフローチャートである。
【００１０】
様々な図面中の同様な参照符号は同様な要素を示す。
詳細な説明
【００１１】
図１は、音声通話を受信するとき、ロング・ターム・エボルーション（ＬＴＥ）システムから回路切り換え（ＣＳ）システムへユーザー機器（ＵＥ）を切り換えるための例示的通信システム１００である。例えば、ＵＥがＬＴＥシステムに留まり、ＣＳ領域からモバイル着信音声通話の指示を受信するとき、ＵＥは呼び出しを受け入れるためにＣＳネットワーク（２Ｇ又は３Ｇ）に切り替わり得る。一般に、音声通話のためにＬＴＥネットワークからＣＳネットワークへ切り換えることは、回路切り換えフォールバック（ＣＳＦＢ）と称される。
幾つかの実施例においては、システム１００はＣＳＦＢを独立に、若しくはモバイル切り換えセンター（ＭＳＣ）におけるＳＧｓインターフェースを含むことなく実行し得る。更にシステムは、ＣＳＦＢを独立に、若しくは既存のＭＳＣを修正することなく実行し得る。例えば、システム１００は、ＣＳＦＢインターネットワーキング機能（ＩＷＦ）１０２（以下に更に詳細に説明する）を含むことがあり、これはＭＡＰインターフェースを通じてＣＳネットワークに接続し、ＳＧｓインターフェースを通じてＬＴＥネットワークに接続する。その際に、システム１００は以下を省略、低減、さもなければ防止し得る。即ち、
ＭＳＣにおける変更（例えば、ＭＳＣにおけるＳＧｓインターフェースがなく、構成変更はない）、ローミング再試行（例えば、複雑なＭＳＣ／ＨＬＲ機能を節約し、呼び出し設定遅延を低減する）、ＬＡマッピングに対するＴＡ（例えば、全てのＴＡは単独のＬＡへマップされることがあり、ＣＳＦＢ  ＩＷＦ荷よって所有される）、ＭＴ呼び出しベアラーの処理（例えば、ベアラー無線通信路はなく、コストを低減する）、及び／又はその他である。
【００１２】
高水準において、システム１００は、幾つかの実施例においてはＣＳＦＢ  ＩＷＦ１０２を含み、これはＣＳシステム１０４、ＬＴＥシステム１０６、並びにネットワーク１０４及び１０６を通じてＵＥ  １０８へ通信可能に接続されている。ＣＳシステム１０４は無線アクセス・ネットワーク（ＲＡＮ）１１０及びセルラー基幹ネットワーク１１２を含み、ＬＴＥシステム１０６はＬＴＥ無線アクセス・ネットワーク１１４、例えば発展するＵＴＲＡＮ（ＥＵＴＲＡＮ１１４）と、発展するパケット基幹（ＥＰＣ）１１６と称される基幹ネットワーク１１６を含む。セルラー基幹ネットワーク１１２は、ＧＭＳＣ  １１８、ＨＬＲ１２０、ＭＳＣ／ＶＬＲ １２２、及びＳＧＳＮ１２４を含む。ＥＰＣ １１６は、ＭＭＥ １２６及びホーム加入者サーバー（ＨＳＳ）１２８を含む。高水準説明に関しては、ＵＥがＥＰＣ１１６上でＩＭＳＩ取り付けを実行するとき、ＣＳＢ  ＩＷＦ１０２が供給ＭＳＣ／ＶＬＲに登録する。登録の後、ＧＭＳＣ  １１８は、ＵＥ  １１８による音声通話を終了する到来する要請を受信して、情報を経路指定する要請をＨＬＲ １２０へ送信し得る。ＣＳＦＢ ＩＷＦ １０２がセルラー基幹ネットワーク１１２に対する供給ＭＳＣとして現れたと判定された後に、ＨＬＲ  １２０はＭＳＲＮについての要請をＣＳＦＢ ＩＷＦ  １０２へ送信し得る。要請と同一であると見做される情報を記憶することに関連して、ＣＳＦＢ ＩＷＦ  １０２は、セルラー・システム１０４をフォールバックするようにＥＰＣ  １１６のＭＭＥ  １２６を通じてＵＥ  １０８へ要請を送信する。ＵＥ  １０８は要請をＲＡＮ １１０を通じてＭＳＣ／ＶＬＲ  １２２へ送信して、その位置を更新することがあり、これはＨＬＲ  １２０に中継される。ＨＬＲ  １２０はＭＳＣ／ＶＬＲ １２２を供給ＭＳＣとして再び割り当てて、ＣＬ要請をＣＳＦＢ ＩＷＦ １０２へ送信する。ＣＳＦＢ ＩＷＦ１０２は情報を経路指定するための新たな要請をＨＬＲ１２０へ送り、ＰＲＮ  Ａｃｋにおいて受信されたＭＳＲＮをＧＭＳＣ  １１８へ送信し、これは、このＭＳＲＮを用いて呼び出しをそれが終了されるＭＳＣ／ＶＬＲ  １２２へ経路付ける。
【００１３】
システム１１０の更に詳細な説明に指向すると、ＣＳＦＢ  ＩＷＦ  １０２は任意のセルラー基幹ネットワーク１１２から音声通話のためのモバイル着信要請の受信に関連してＬＴＥシステム１０６からＣＳシステム１０４へＵＥ  １０８を移行させるように作動可能なソフトウェア、ハードウェア、及び／又はファームウェアを含むことができる。例えば、ＣＳＦＢ  ＩＷＦ  １０２はＵＥ  １０８を呼び出してセルラー基幹ネットワーク１１２におけるＨＬＲ  １２０による更新位置要請を要請する。セルラー・システム１０４における位置を更新することにより、ＣＳＦＢ ＩＷＦ  １０２はセルラー・システム１０４は位置更新の間に割り当てられるＭＳＲＮを用いてＰＲＮ要請を返信することがある。位置更新を開始する際に、ＣＳＦＢ ＩＷＦ １０２は、ＵＥ  １０８を起動して音声通話のためにＣＳ無線にフォールバックすることがあり、これはボイス・オーバーＬＴＥ（ＶｏＬＴＥ）ではない。幾つかの実施例においては、ＣＳＦＢ  ＩＷＦ  １０２がＭＭＥ  １２６への新たなインターフェース（ＳＧｓ）を含むことができ、これはＣＳＦＢ  ＩＷＦ  １０２に、ＭＳＣ／ＶＬＲとして作動するときに、ＵＥ １０８がいつＥＰＣ １１６へ取り付けられたかを判定することを可能にし得る。ＣＳＦＢ ＩＷＦ １０２は、インターフェース、例えばＭＭＥ １２６へのＳＧｓ、ＨＬＲ １２０へのＭＡＰ、ＳＭＳＣへのＭＡＰ及び／又は他のものを含み得る。ＭＭＥ １２６へのＳＧｓに関しては、ＣＳＦＢ ＩＷＦ １０２は標準的なＳＧｓ機能を実行し得るか、及び／又は、ＭＭＥ １２６はＣＳＦＢ ＩＷＦ １０２をビジター位置レジスタ（Ｖｉｓｉｔｏｒ  Ｌｏｃａｔｉｏｎ  Ｒｅｇｉｓｔｅｒ：ＶＬＲ）として特定し得る。換言すれば、ＣＳＦＢ ＩＷＦ １０２は、ＥＰＣ領域におけるＭＭＥ １２６からのＳＧｓインターフェースを支持し得る。これらの例においては、ＣＳＦＢ ＩＷＦ １０２は、ＭＭＥ １２６へのＶＬＲとして現れ得る。ＥＰＣ領域における加入者のためのＶＬＲ／ＭＳＣとして働くＩＷＦ  １０２は、ＭＡＰインターフェース上でＨＬＲ １２０に、更に、ＳＭＳ関連手順についてのネットワーク１１２におけるＳＭＳＣに相互作用し得る。ＣＳＦＢ ＩＷＦ １０２は、ＳＧｓ状態及び３ＧＰＰ ＴＳ ２９．１１８において規定される状態装置を維持する「ＶＬＲ」を包含し得る。ＨＬＲ １２０へのＭＡＰに関しては、ＣＳＦＢ ＩＷＦ １０２は位置更新処置及び／又は呼び出し経路指定処置をこのインターフェースを使用して実行し得る。ＣＳＦＢ ＩＷＦ １０２とＨＬＲ １０２０の間のＭＡＰインターフェースは、位置管理、加入者管理及び／又は呼び出し取り扱い処置のために使用し得る。ＳＭＳＣへのＭＡＰに関しては、ＣＳＦＢ ＩＷＦ １０２は、ＭＡＰ ＭＯ ショート・メッセージ転送（Ｆｏｒｗａｒｄ  Ｓｈｏｒｔ  Ｍｅｓｓａｇｅ）及び／又はやＭＡＰ ＭＴショート・メッセージ転送を用いたＭＯ／ＭＴ ＳＭＳ処置を実行し得る。例えば、ＣＳＦＢ ＩＷＦ １０２とＳＭＳＣとの間のＭＡＰインターフェースは、モバイル発信及び／又はモバイル着信ＳＭＳのために使用し得る。幾つかの実施例においては、ＣＳＦＢ ＩＷＦ １０２は、独立に若しくはベアラー設備（例えば、ＴＤＭ無線通信路）���伴わずに操作し得る。ＣＳＦＢ ＩＷＦ １０２は、以下の一つ以上を実行し得る。即ち、ＨＬＲ  １２０からのＭＴ呼び出し信号発信を、それが供給ＭＳＣ／ＶＬＲとして現れたら受信すること、ＣＳＦＢを起動させるためのＳＧｓ呼び出し要請を送ること、ＭＴ呼び出し信号発信を開始して、呼び出しを新たな（かつ実際の）供給ＭＳＣ／ＶＬＲへリダイレクトすること、及び／又は他の機能である。これらの処理に関連して、ＵＥ １０８はＣＳ領域へフォールバックして、位置更新 ＭＳＣ／ＶＬＲ １２２を実行し得る。更に、ＵＥ  １０８は、一旦ＣＳＦＢ ＩＷＦ １０２が呼び出しをリダイレクトするならば、呼び出しを受け入れ得る。前述のように、ＣＳＦＢ ＩＷＦ １０２は、幾つかの実施例において、それ自体を基幹ネットワーク１１２の要素としてエミュレートするか、さもなければ表現し得る。例えば、ＣＳＦＢ ＩＷＦ １０２は、それ自体をＭＳＣ、ＶＬＲ又はセルラー基幹ネットワーク１１２の他の要素としてエミュレートするか、さもなければ表現し得る。通信ノード１０８がＭＳＣをエミュレートする場合には、ＣＳＦＢ ＩＷＦ １０２は他の任意のＭＳＣのようにセルラー基幹ネットワーク１１２におけるＨＬＲ １２０によって問い合わせられ得る。
【００１４】
システム１００における他の要素の詳細な説明に指向すると、ＬＴＥシステム１０６が、ＥＰＣ １１６とＥＵＴＲＡＮ １１４を含むことができる。ＥＰＣ １１６は、セルラー基幹ネットワーク１１２のような外部ネットワークへ接続性をもたらす。ＥＵＴＲＡＮ １１４は、無線サービスをＵＥ １０８へ提供するｅＮｏｄｅ−Ｂ（ｅＮＢ）基地局のような一つ以上の基地局を含む。ＥＰＣベースの基幹ネットワークは、供給ゲートウェイ（ＳＧＷ）、ＭＭＥ １２６とポケット・ゲートウェイ（ＰＧＷ）を含むことができる。ＳＧＷは、ＥＰＣ １１６の範囲内でトラフィックの経路を決めることができる。ＭＭＥ  １５５は、基幹ネットワーク移動管理、基幹ネットワークに対するＵＥ  １０８の取り付け、及び、アイドル・モードＵＥｓとの接触の維持を関与する。ＰＧＷはインターネットからの／インターネットへのトラフィックの進入／退出を可能にするように関与する。ＰＧＷは、ＩＰアドレスをＵＥｓ １０８へ割り当てることができる。
【００１５】
ＬＴＥベースの無線通信システムは、システム要素の間に規定されたネットワーク・インターフェースを有する。ネットワーク・インターフェースは、ＵＥとｅＮＢとの間に規定されたＵｕインターフェース、ｅＮＢとＳＧＷとの間に規定されたＳ１Ｕユーザー面インターフェース、ｅＮＢとＭＭＥ（S１-ＭＭＥとしても知られる）との間に規定されたＳ１Ｃ制御面インターフェース、及びＳＧＷとＰＧＷとの間に規定されたＳ５／Ｓ８インターフェースを含む。Ｓ１ＵとＳ１Ｃとの組合せが「Ｓ１」にしばしば単純化されることに留意すべきである。
【００１６】
ＭＭＥ １２６は、ＬＴＥアクセス・ネットワークのための制御ノードである。ＭＭＥ １２６は、再転送を含むＵＥ １０８追跡及び呼び出し処置に関与する。
ＭＭＥ １２６は、ベアラー起動／失活処理を取り扱って、初期取り付けにおける及び内部ＬＴＥ引き渡しのときにおけるＵＥのためにＳＧＷを選択することにも関与する。ＭＭＥ １２６も、ＨＳＳ １２４と相互作用することによって、ユーザーを認証する。ＭＭＥ １２６も、ＵＥｓに一時的な特定を生成して、割り当てて、非アクセス階層（ＮＡＳ）信号発信を終了する。ＭＭＥ １２６はサービスプロバイダの公衆ランド・モバイル・ネットワーク（ＰＬＭＮ）上に留まるＵＥ １０８の認証を検査して、ＵＥローミング制限を実施する。ＭＭＥ １２６はＮＡＳ信号発信の暗号化／完全性保護のためのネットワークにおける終了点であって、セキュリティ・キー管理を取り扱う。信号発信の合法的傍受は、ＭＭＥ １２６によっても支持される。ＭＭＥは、ＬＴＥと、２Ｇ／３Ｇアクセス・ネットワークとの間の可動性のための制御面機能も提供し、そこでＳＧＳＮ  １３０からＭＭＥ  １２６において終端するＳ３インターフェースを有する。ＭＭＥ １２６は、ローミングＵＥｓのために、ホームＨＳＳ １２８へ向かうＳ６ａインターフェースを終了する。
【００１７】
ＳＧＷはユーザー・データ・パケットを経路指定して転送し、一方、内部ｅＮＢ引き渡しの間のユーザー面のための可動性アンカーとして働き、かつ、ＬＴＥと他の３ＧＰＰ技術（Ｓ４インターフェースを終了して、２Ｇ／３ＧシステムとＰＤＮ  ＧＷとの間でトラフィックを中継する）との間の可動性のためのアンカーとして働く。アイドル状態ＵＥｓのために、ＳＧＷは、ダウン・リンク・データがＵＥ １０８のために到着するとき、ダウン・リンク・データ経路を終了し、呼び出しを誘発する。ＳＧＷは、ＵＥコンテキスト、例えば、ＩＰベアラー・サービス及びネットワーク内部経路指定情報のパラメータを管理して保存する。ＳＧＷは、合法的傍受の場合におけるユーザー・トラフィックの複製を実行する。ＰＧＷは、ＵＥ  １０８のためのトラフィックの出口及び入口の点となることにより、ＵＥ  １０８へ外部パケット・データ・ネットワークへの接続性を与える。ＵＥ  １０８は、複数のパケット・データ・ネットワークへアクセスするために、一つよりも多くのＰＧＷとの同時接続性を有することがある。Ｐ−ＧＷは方針実施、各々のユーザーのためのパケット・フィルタリング、充電支持、合法的傍受、及びパケット・スクリーニングを実行する。ＰＧＷは、３ＧＰＰと非３ＧＰＰ技術、例えばＷｉＭＡＸ及び３ＧＰＰ２（ＣＤＭＡ  １Ｘ及びＥｖＤＯ）との間で可動性のためのアンカーも与える。
ＳＧＷ又はＰＧＷは実施形態に依存して、ディープ・パケット・インスペクションを与えるために、かつ、上述のようにＳＧＷ又はＰＧＷを実装しているシャーシにおける加入者ごとのユーザーへ広告を提供するように用いることができる。
【００１８】
セルラー基幹システム１０４は、セルラー・サービスを提供するために様々なスイッチング素子、ゲートウェイ及びサービス制御機能を一般的に含む。セルラー基幹システム１０４は、しばしば複数のセルラー・アクセス・ネットワーク（例えば、ＲＡＮ）を介してこれらのサービスを提供し、また、セルラー・システムをＥＰＣ １１６のような他の通信システムへ接続させる。セルラー標準に従って、セルラー基幹システム１０４は音声通話を処理するための回路切り換え（又は音声切り換え）部分及びデータ転送、例えば電子メール・メッセージ及びウェブ・ブラウジングを支持するためのパケット切り換え（又はデータ切り換え）部分を含み得る。回路切り換え部分は、ＭＳＣ／ＶＬＲ  １２２を含み、これはセルラーアクセス・システム１０６とＰＳＴＮ １０４又は他のネットワーク、セルラー基幹ネットワークなどとの間の電話通話を切り換え又は接続する。ＭＳＣ／ＶＬＲ １２２は、ＲＡＮ １１０へ向かって単独の媒体ストリーム（例えば、標準的なＡ-インターフェースのための単独のＴＤＭチャンネル、ＡｏＩＰのための単独のＲＴＰストリーム）のみを支持し得る。この単独媒体ストリームは、補助サービスのために用いられることがあり、これは呼び出し待機のようなモバイルへの及びモバイルからの複数の呼び出しに関連する。換言すれば、ＧＳＭモバイルへの及びＧＳＭモバイルからの複数の呼び出しは、ＭＳＣのアクセス・インターフェースにおける単独の媒体接続を共有する。
【００１９】
セルラー基幹システム１０４ａは、「恒久的」加入者データを維持するためのＨＬＲ  １２０と、ＨＬＲ  １２０から取り出された加入者データ及び無線通信方法を用いてそれらＵＥ １０８の位置に関する最新の情報を「一時的に」保持するＶＬＲ（及び／又はＳＧＳＮ）も含み得る。更に、セルラー基幹システム１０４は、認証、承認、及びアカウンティング（ＡＡＡ）を含むことがあり、これはセルラー基幹システム１０４にアクセスするために使用可能なＵＥ   １０８のための認証、承認、アカウンティングの役割を実行する。基幹システム１０４の説明をＧＳＭネットワークに関して説明したが、この基幹システム１０４は、この開示事項の要旨を逸脱しない範囲で、ＵＭＴＳ、ＣＤＭＡ、その他などの他のセルラー無線技術を含み得る。
【００２０】
ＲＡＮ １１０は、モバイル・デバイス１０２ａとセルラー基幹システム１０４ａとの間の無線インターフェースを与え、これは実時間音声、データ及びマルチメディア・サービス（例えば、呼び出し）をＵＥ １０８へ提供し得る。一般に、ＲＡＮ １１０は無線周波数（ＲＦ）リンクを介してエア・フレームを通信する。特に、ＲＡＮ １１０は、セルラー基幹システム１０４aを通じる送信のためのメッセージに基づいて、エア・フレームと物理的リンクから／へ変換する。ＲＡＮ １１０は、送信の間に、例えば、以下の無線インターフェース標準の一つを実施し得る。即ち、ＧＳＭアクセス、ＵＭＴＳアクセス、コード分割多重アクセス（ＣＤＭＡ）、時分割多重アクセス（ＴＤＭＡ）、汎用パケット無線サービス（ＧＰＲＳ）、グローバル・エボルーションのための改善されたデータ率（ＥＤＧＥ）、又はプロプライアタリー無線インターフェースである。ユーザーは、例えば、携帯電話サービス、全地球位置測位定システム（ＧＰＳ）サービス、ＸＭラジオ・サービス等を受けるためにＲＡＮ １１０へ加入することがある。
【００２１】
ＲＡＮ １１０は、ベース・ステーション・コントローラ（ＢＳＣ）１３２に接続されたベース・ステーション（ＢＳ）を含み得る。ＢＳはＲＡＮ １１０（即ちＵＥ １０８によって送信された）の地理的地域の範囲内のエア・フレームを受信及び送信して、セルラー基幹システム１０４に接続している他のＵＥと通信する。各々のＢＳＣ １３２は一つ以上のＢＳ １１４と関係していて、関連したＢＳ １１４を制御する。例えば、ＢＳＣ １３２は、機能、例えば引き渡し、セルラー構成データ、ＲＦ電力レベルの制御、又は無線資産の管理並びにＢＳへ及びＢＳから信号を送信するための任意の他のどの適宜な機能を提供し得る。ＭＳＣ／ＶＬＲ １２２は、Ａ−インターフェースのような標準インターフェースを通じてＢＳＣ １３２に接続し得る。ＲＡＮ  １１０の要素はＧＳＭネットワークに関して説明したが、ＲＡＮ １１０は他のセルラー技術、例えばＵＭＴＳ、ＣＤＭＡ、及び／又はその他を含み得る。ＵＭＴＳの場合、ＲＡＮ １１０はノードＢ及び無線ネットワーク・コントローラ（ＲＮＣ）を含み得る。
【００２２】
要素のより詳細な説明に指向すると、ＵＥ １０８は、システム１００に無線通信を受信及び送信するために使用可能な電子デバイスを含む。この開示事項において用いられているように、ＵＥ  １０８は、携帯電話、データ電話、ポケットベル、ポータブル・コンピュータ、SＩＰ電話、スマートフォン、個人用情報支援端末（ＰＤＡ）、これら又は他のデバイス内の一つ以上のプロセッサ、又はセルラー無線技術を用いて通信情報ができる他の任意の適宜な処理デバイスを包含することを意図している。図解された実施例においては、ＵＥ １０８は一つ以上のセルラー・バンドで送信することができる。これらの場合、ＵＥ  １０８により送信及び／又は受信されたメッセージは、セルラー無線技術に基づき得る。セルラー・アクセス・ネットワーク１１０へ通信可能に接続された多くのＵＥｓ １０８があり得る。一般に、ＵＥ  １０８は、音声、ビデオ、マルチメディア、テキスト、ウェブ・コンテンツ又は任意の他のユーザー／クライアントに特有のコンテンツを送信し得る。要するに、ＵＥ １０８は要請、応答を生成するか、さもなければＲＡＮ １１０を通じてモバイル基幹システム１０４aと通信し、又はＥ−ＵＴＲＡＮ １１４を通じてＥＰＣ １１６と通信する。
【００２３】
操作の幾つかの観点においては、システム１００は以下の一つ以上を実行し得る。即ち、モバイル着信要請に関連してモバイル・ステーション・ローミング番号（ＭＳＲＮ）のためにＣＳネットワークにおけるホーム位置レジスタ（ＨＬＲ）から供給ローミング番号（Ｐｒｏｖｉｄｅ  Ｒｏａｍｉｎｇ  Ｎｕｍｂｅｒ）（ＰＲＮ）要請を受信すること、ＣＳシステムへフォールバックするＬＴＥシステムにおける可動性管理実体（Ｍｏｂｉｌｉｔｙ  Ｍａｎａｇｅｍｅｎｔ  Ｅｎｔｉｔｙ）（ＭＭＥ）を通じて、ＵＥへ要請を送信すること、異なるＭＳＣへ再割り当てされるＵＥの位置に関連してＨＬＲからキャンセル位置（Ｃａｎｃｅｌ  Ｌｏｃａｔｉｏｎ）（ＣＬ）要請を受信すること、少なくともＣＬ要請に応じて、送信経路指定情報（Ｓｅｎｄ  Ｒｏｕｔｉｎｇ  Ｉｎｆｏｒｍａｔｉｏｎ）（ＳＲＩ）要請をＨＬＲへ送信すること、ＨＬＲを通じてＭＳＣからＭＳＲＮを受信すること、受信したＭＳＲＮを用いて、ＰＲＮ  アクノリッジメント（ＰＲＮ  Ａｃｋｎｏｗｌｅｄｇｅｍｅｎｔ）（ＰＲＮ  Ａｃｋ）をＨＬＲへ送信して、ＭＳＲＮを用いてＵＥにより呼び出しを終了すること、及び／又はその他である。
【００２４】
図２Ａ―図２Ｉは、本開示事項の幾つかの実施例によりＣＳＦＢを実行するために信号発信を例示するシステム２００−２８０である。図２Ａを参照すると、ＧＭＳＣ １１８は、ＵＥ １０８による音声通話を終了するための要請を示している信号２０２を受信する。図２Ｂを参照すると、システム２１０は、ＵＥ １０８のためにＭＳＲＮを要請している信号２１２を例示する。特に、GＭＳＣ １１８は供給ローミング番号（ＰＲＮ）要請をＨＬＲ １２０へ送信し、ＨＬＲ １２０はＵＥ １０８のためのＭＳＣ／ＶＬＲとしてＰＲＮ要請をＣＳＦＢ ＩＷＦ １０２へ送信する。図２Ｃを参照すると、システム２２０は、ＵＥ １０８にＨＬＲ １２０にてその場所を更新することを要求している呼び出しを示している信号２２２を例示する。特に、ＣＳＦＢ ＩＷＦ １０２は呼び出しをＭＭＥ １２６へ送信し、これは次いで、Ｅ−ＵＴＲＡＮ １１４を通じて呼び出しをＵＥ １０８へ送信する。図２Ｄを参照すると、システム２３０は、Ｅ−ＵＴＲＡＮ１１４からＲＡＮ１１０への通信を再調整しているＵＥ １０８を例示する。図２Ｅを参照すると、システム２４０は、セルラー基幹ネットワーク１１２から位置更新を要請している信号２４２を例示する。特に、ＵＥ １０８はＢＳＣ １３２及びＭＳＣ／ＶＬＲ １２２を通じて更新要請をＨＬＲ １２０へ送信する。図２Ｆを参照すると、システム２５０は、ＵＥ １０８が異なるＭＳＣに登録されることを示す信号２５２を例示する。特に、ＨＬＲ １２０はＭＳＣ／ＶＬＲ１２２によるＵＥ１０８の登録を更新し、キャンセル位置（Ｃａｎｃｅｌ  Ｌｏｃａｔｉｏｎ）（ＣＬ）要請をＣＳＦＢ  ＩＷＦ  １０２へ送信する。図２Ｇを参照すると、システム２６０は、現在のＭＳＲＮをＨＬＲ２０から要請する信号２６２を例示する。特に、ＣＳＦＢ  ＩＷＦ  １０２は、ＨＬＲ  １２０を介してＧＭＳＣ  １１８から受信した先行するＰＲＮ要請において特定されたＭＳＩＳＤＮを用いてＳＲＩ要請をＨＬＲ１２０へ送信する。図２Ｈを参照すると、システム２７０は、ＭＳＲＮを取り出すと共に、このＭＳＲＮをＣＳＦＢ  ＩＷＦ  １０２へ送信する信号２７２を例示する。特に、ＨＬＲ  １２０は、ＭＳＣ／ＶＬＲ １２２をＶＭＳＣとして特定し、ＭＳＣ／ＶＬＲ１２２から現在のＭＳＲＮを取り出す。図２Ｉを参照すると、システム２８０は現在のＭＳＲＮをＧＭＳＣ１１８へＨＬＲ１２０を介して発信してＵＥ  １０８におけるモバイル着信呼び出しを終了させる信号２８２を例示する。
【００２５】
図３Ａ及び図３Ｂは、本開示事項の幾つかの実施例によりＣＳＦＢを実行するための呼び出しフロー３００を例示する。呼び出しフロー３００では、新たなセルのＬＡがＵＥ １０８に保存されるものとは異なるならば、ＵＥ １０８は位置領域更新（Ｌｏｃａｔｉｏｎ  Ａｒｅａ  Ｕｐｄａｔｅ）又は組み合わせＲＡ／ＬＡ更新（Ｃｏｍｎｉｅｄ  ＲＡ／ＬＡ  Ｕｐｄａｔｅ）処置を開始する。複数のＣＳＦＢ ＩＷＦは、ＬＡＩに割り当てられ、これはＵＥ １０８に常に位置領域更新を開始することを強いる２Ｇ／３Ｇ空間で用いられた一つから相互に排他的である。アイドル・モードにおいては、ＭＭＥ １２６は呼び出し要請をｅＮｏｄｅＢ  １１４へ送り、これは次いでこの要請をＵＥ １０８へ送る。ＭＭＥ  １２６は、ＵＥ １０８から延長サービス要請（Ｅｘｔｅｎｄｅｄ  Ｓｅｒｖｉｃｅ  Ｒｅｑｕｅｓｔ）を受け取った後、ＣＳＦＢ ＩＷＦ １０２へサービス要請（Ｓｅｒｖｉｃｅ  Ｒｅｑｕｅｓｔ）を送る。能動モードにおいては、ＭＭＥ １２６はＣＳ 呼び出し要請をＵＥ １０８に、それが確立されたＳ１接続を有すると送信する。ＭＭＥ １２６は、ＵＥ １０８へ呼び出し要請を送った直後に、ＣＳＦＢ ＩＷＦ １０２にサービス要請を送る。幾つかの実施例においては、ＣＳＦＢ ＩＷＦ ０２は、サービス・インジケーター（Ｓｅｒｖｉｃｅ  Ｉｎｄｉｃａｔｏｒ）をＳＧＡＰ−ページング−要請（ＳＧＡＰ−ＰＡＧＩＮＧ−Ｒｅｑｕｅｓｔ）メッセージにおける「ＣＳ呼び出しインジケータ（ＣＳ  Ｃａｌｌ  Ｉｎｄｉｃａｔｏｒ）へ設定し得る。ＣＳＦＢ ＩＷＦ １０２は、これをＨＬＲ １２０からＭＡＰ ＰＲＮメッセージを受信することで確認し得る。ＣＳＦＢ  ＩＷＦ  １０２は、ＳＧＡＰ−ページング−要請における以下の属性を含まないことがあり、これは、これらが利用できない場合があるためである（例えば、ＬＣＳ クライアント識別（ＬＣＳ  Ｃｌｉｅｎｔ  Ｉｄｅｎｔｉｔｙ）、ＬＣＳ  インジケータ（ＬＳＣ  Ｉｎｄｉｃａｔｏｒ））。ＭＳＣ／ＶＬＲ １２２は、ＣＳＦＢ ＩＷＦ １０２からサービス要請メッセージを受信しないことがある。３ＧＰＰ  ＴＳ  ２３．２７２は、サービス要請メッセージは、呼び出しを処理していることを呼び出し者に知らせて、ＣＦＮＲｙタイマーを始動させる誘因として用いられ得ることを示す。ＣＳＦＢ ＩＷＦ １０２は、呼び出し処理を知らせる標準的な手順に従い得る。呼び出し処理は、ＵＥがＧＥＲＡＮ／Ｕ-ＴＲＡＮにフォールバックすると標準手順毎に起動されることがあり、呼び出しはそこで設定される。ＣＳＦＢ ＩＷＦ １０２がＳＧｓＡＰサービス要請（ＳＧｓＡＰ-ＳＥＲＶＩＣＥ-ＲＥＱＵＥＳＴ）をＭＭＥ  １２２から受け取るならば、それは後続のページを送ることを再試行し得る。２Ｇ／３Ｇ  ＢＳＣ／ＭＳＣは、ページング応答をＵＥ  １０８から受信しないことがあり、これは、それが位置領域更新を常にＥ−ＵＴＲＡＮ  １１４から移動の後に実行するためである。ＨＬＲ  １２０はＭＡＰキャンセル位置（ＭＡＰ  ＣＡＮＣＥＬ  ＬＯＣＡＴＩＯＮ）を古いＭＳＣ（この場合はＣＳＦＢ  ＩＷＦ  １０２）へ送り、それと並行して新たなＭＳＣ／ＶＬＲ  １２２からのＭＡＰ更新位置（ＭＡＰ  ＵＰＤＡＴＥ  ＬＯＣＡＴＩＯＮ）を取り扱��。ＣＳＦＢ  ＩＷＦ  １０２は、ＭＡＰキャンセル位置を送る前に完了するＭＡＰ更新位置処理（これは一つ以上のＭＡＰ挿入加入者データ（ＭＡＰ ＩＮＳＥＲＴ  ＳＵＢＳＣＲＩＢＥＲ  ＤＡＴＡ）メッセージを含む）を待たないことがある。ＨＬＲ １２０における新たなＭＳＣ／ＶＬＲ １２２からのＭＡＰ更新位置処理とＣＳＦＢ ＩＷＦ １０２からのＭＡＰ ＳＲＩ処置とは、並行に又は少なくとも接続して起こり得る。ＣＳＦＢ  ＩＷＦ  １０２は、いつ新たな更新位置が完了したかを承知していないことがあり、ＭＡＰ  ＳＲＩをＨＬＲ  １２０へ送るのを待たないことがある。ＣＳＦＢ  ＩＷＦ  １０２がＭＡＰ ＳＲＩを送る誘因は、ＭＡＰキャンセル位置の受信である場合がある。ＨＬＲ１２０は、新たなＭＳＣ／ＶＬＲ  １２２からのＭＡＰ更新位置がＣＳＦＢ ＩＷＦ １０２からのＭＡＰ ＳＲＩメッセージを取り扱う前に完了するまで待つことがある。基本的に、ＣＳＦＢ  ＩＷＦ  １０２はＭＡＰ更新位置処置がＭＡＰ  ＰＲＮメッセージを新たなＭＳＣ／ＶＬＲ  １２２へ送る前に完了するのを待ち得る。ＣＳＭＴフラッグは２Ｇ／３Ｇ ＭＳＣ／ＶＬＲにより支持されないことがあるので、位置更新メッセージにおいてＵＥ １０８から受信されるならば、それはパラメータを無視し得る。このため、ＭＳＣ／ＶＬＲ １２２は、位置領域更新処理の完了の後、ユーザーへ向けてＳＣＣＰP接続を公表し得る。ＨＬＲは、ＭＡＰ  ＰＲＮメッセージにおけるＩＭＳＩとＭＳＩＳＤＮとの両方をＳＦＢ ＩＷＦ １０２へ向かって送り得る。ＭＡＰ  ＳＲＩ要請についてのエラー応答の受信におけるＣＳＦＢ  ＩＷＦ  １０２は、初期呼び出しについてのＨＬＲ  １２０に対するＰＲＮ応答におけると同様なものを中継する。ＣＳＦＢ  ＩＷＦ  １０２は、ＨＬＲ  １２０へ向けて送られたＭＡＰ  ＳＲＩ要請における抑圧Ｔ−ＣＳＩパラメータを含み得る。ＣＳＦＢ  ＩＷＦ  １０２は、ＭＡＰ  ＳＲＩ応答におけるＨＬＲ  １２０からの実質的に全てのサービス表示を無視し得る。Ｅ−ＵTＲＡＮ １１４からＵＭＴ／ＧＳＭへの外部ＲＡＴ引き渡しが支持され得る（即ち、能動的パケット・セッションの引き渡し）ならば、ＭＭＥ １２６は３ＧＰＰ ＴＳ ２３．４０１において特定されたものとしてＳＧＳＮと直接に相互作用し得る。ＣＳＦＢ ＩＷＦ １０２は、これらの処置に関係しないことがある。ＣＳＦＢアーキテクチャは、加入者がＥ−ＵＴＲＡＮ １４からＵＴＲＡＮ／GEＲＡＮまで移動するたびに、位置領域更新処理を呼び出すことによる標準ＣＳＦＢ呼び出し試行と比較して、更なるポスト・ダイヤル遅延を導入し得る。ＭＴ呼び出しのためのＬＩIは、２Ｇ／３Ｇ ＭＳＣ／ＶＬＲ １２２において取り扱い得る。この例において、ローミング試行処理は、このＣＳＦＢ ＩＷＦアーキテクチャでは必要とされないことがある。
【００２６】
幾つかの実施例においては、ＭＭＥ １２６は、ＳＧｓＡＰ−ページング拒否（ＳＧｓＡＰ−ＰＡＧＩＮＧ−ＲＥＪＥＣＴ）メッセージをＣＳＦＢ  ＩＷＦ  １０２へ送って、ＣＳＦＢ ＩＷＦにおいて対応する行為をなし得る。ＵＥ １０８が既知であり、ＥＰＳサービスと「ＳＭＳのみ」に取り付けられたＩＭＳＩと見做されるならば、ＭＭＥ １２６は、ＳＧｓ原因情報要素において「モバイル着信ＣＳフォールバック呼び出しはユーザーによって拒否された」ことを示すＳＧｓＡＰ−ページング−拒否メッセージを返し得る。ＣＳＦＢ ＩＷＦ １０２は、ユーザー・エラーを「設備は支持されていない」に設定して、ＨＬＲ １２０にＭＡＰＰＲＮ応答（ＭＡＰ  ＰＲＮ  ＲＥＳＰＯＮＳＥ）を送り得る。ＵＥ １０８が既知であり、非ＥＰＳサービスについて（暗黙のうちに又は明示的に）分離されたＥＰＳサービス又はＩＭＳＩについて分離されたＩＭＳＩであることが示されて、即ちＳＧｓ関係の状態がＮＧｓ−零であるならば、ＭＭＥ １２６は、ＳＧｓ原因情報要素において分離状況（「ＥＰＳサービスについて分離されたＩＭＳＩI」、「非ＥＰＳサービスについて分離されたＩＭＳＩI」又は「非ＥＰＳサービスについて暗黙のうちに分離されたＩＭＳＩ」）を示すＳＧａＡＰ−ページング−拒否メッセージを返し得る。ＣＳＦＢ ＩＷＦ １０２は、ＭＡＰＰＲＮ応答をＨＬＲ１２０へユーザー・エラーを「未確認加入者」に設定して送り得る。ＵＥ １０８が未知であり、かつ、「ＭＭＥリセット（ＭＭＥ  Ｒｅｓｅｔ）」が「誤り」に設定されるならば、ＭＭＥ １２６はＳＧｓ原因情報要素において「ＩＭＳＩ未知」を示すＳＧｓＡＰ-ページング−拒否メッセージを返し得る。ＣＳＦＢ ＩＷＦ １０２は、ＭＡＰ応答をＨＬＲ  １２０にユーザー・エラーを「未知の加入者」に設定して送り得る。ＵＥ １０８が未知であり、かつ、「ＭＭＥリセット」が「真」に設定されており、ＥＰＳSサービス及び「ＳＭＳのみ」に取り付けられたＩＭＳＩであると見做されるならば、ＭＭＥ １２６はＳＧｓ原因情報要素「モバイル着信フォールバック呼び出しはユーザーによって拒否された」を示すＳＧｓＡＰ-ページング−拒否メッセージを返し得る。ＣＳＦＢ ＩＷＦ １０２は、ユーザー・エラーを「設備は支持されていない」に設定して、ＭＡＰＰＲＮ応答をＨＬＲ  １２０へ送り得る。ＭＭＥ１２６は、「誤り」に設定されたページング続行フラグ（Ｐａｇｉｎｇ  Ｐｒｏｃｅｅｄ  Ｆｌａｇ）により示されるように、ＵＥ  １０８が到着不能としてマークを付けられているならば、ＳＧｓ原因情報要素「ＵＥ到着不能」を示すＳＧｓＡＰ−ＵＥ−到着不能（ＳＧｓＡＰ−ＵＥ−ＵＮＲＥＡＣＨＡＢＬＥ）メッセージを返し得る。ＭＭＥ １２６からのＳＧｓＡＰ−ＵＥ−到着不能メッセージの受信におけるＣＳＦＢ ＩＷＦ １０２は、ユーザー・エラーを「加入者応答無し」に設定して、ＭＡＰＰＲＮ応答メッセージを送り得る。ＣＳＦＢ  ＩＷＦ  １０２は、ページング拒否メッセージに起因する拒否に基づく適切なＳＧｓ状態へ移行し得る。ＣＳフォールバックの試みにおいて、ＵＥ  １０８がＧＥＲＡＮ／ＵＴＲＡＮを見つけるのに失敗したならば、呼び出しの試みは失敗するであろう。この想定では、ＨＬＲ １２０はＣＳＦＢ ＩＷＦ １０２からのＰＲＮ応答を待ってタイムアウトし得る。
【００２７】
図４は、本開示事項の幾つかの実施例によりＣＳＦＢを実行する例示的方法を図解するフロー図４００である。
【００２８】
方法４００は、ＰＲＮ要請がＨＬＲから受信されるステップ４０２において開始される。例えば、図１におけるＣＳＦＢ ＩＷＦ １０２は、ＨＬＲ １２０からのＵＥ １０８のＭＳＩＳＤＮを特定するＰＲＮ要請を受信し得る。ステップ４０４において、ＩＭＳＩとＰＲＮ要請によって特定されたＭＳＩＤＮとは保存される。例では、ＣＳＦＢ ＩＷＦ １０２は、ＩＭＳＩとＰＲＮ要請によって特定されたＭＳＩＤＮを保存し得る。次に、ステップ４０６において、ＵＥは、ＬＴＥシステムにおけるＭＭＥを通じてページングされて、ＣＳネットワークを通じて位置を更新する。この例に関して、ＣＳＦＢ ＩＷＦ １０２は、ＵＥ １０８のためのＭＭＥ １２６へのページを送信し得る。位置更新に関連して、ステップ４０８において、新たなＭＳＣをＵＥへ割り当てることに基づいて、ＨＬＲから、キャンセル位置（ＣＬ）要請が受信される。また、この例においては、ＭＳＣ／ＶＬＲ １２２をＵＥ １０８に割り当てるＨＬＲ １２０に基づいて、ＨＬＲ  １２０はＣＬ要請をＣＳＦＢ ＩＷＦ １０２へ送信し得る。ステップ４１０において、保存されたＭＳＩＳＤＮは、メモリから取り出される。この例を参照すると、ＣＳＦＢ ＩＷＦ １０２は、ＰＲＮ要請において特定されたＭＳＩＳＤＮをメモリから取り出し得る。次に、ステップ４１２において、ＭＡＰ  ＳＲＩ要請は、以前に受信されたＭＳＩＳＤＮを含めてＨＬＲへ送信される。この例においては、ＣＳＦＢ ＩＷＦ １０２は、ＨＬＲ １２０へ、ＰＲＮ要請において特定されたＭＳＩＳＤＮを含むＭＡＰ  ＳＲＩ要請を送信する。ＵＥの現在のＭＳＲＮを特定するＭＡＰＳＲＩ  Ａｃｋは、ステップ４１４において受信される。次に、ステップ４１６において、現在のＭＳＲＮを特定するＰＲＮ  Ａｃｋは、ＨＬＲへ送信される。再び例を参照すると、ＣＳＦＢ ＩＷＦ １０２は、ＵＥ １０８の現在のＭＳＲＮを含むＰＲＮ  ＡｃｋをＨＬＲ  １２０へ送信して、ＵＥ  １０８との呼び出しを終了し得る。
【００２９】
本発明の幾つかの実施形態について説明した。それでもなお、様々な変更例を本発明の要旨と目的から逸脱することなくなし得ることが理解されよう。従って、他の実施形態は以下の請求項の範囲内にある。
【図１】
2014519747.tif 000003
【図２Ａ】
2014519747.tif 000004
【図２Ｂ】
2014519747.tif 000005
【図２Ｃ】
2014519747.tif 000006
【図２Ｄ】
2014519747.tif 000007
【図２Ｅ】
2014519747.tif 000008
【図２Ｆ】
2014519747.tif 000009
【図２Ｇ】
2014519747.tif 000010
【図２Ｈ】
2014519747.tif 000011
【図２Ｉ】
2014519747.tif 000012
【図３Ａ−１】
2014519747.tif 000013
【図３Ａ−２】
2014519747.tif 000014
【図３Ｂ−１】
2014519747.tif 000015
【図３Ｂ−２】
2014519747.tif 000016
【図４】
2014519747.tif 000017
【国際調査報告】
2014519747.tif 000018
2014519747.tif 000019
2014519747.tif 000020